(57)【要約】フリップ型携帯電話機用アンテナ構成が開示される。このアンテナ構成は、補聴器互換性（ＨＡＣ）Ｍ３評価又はこの評価より良好な評価に従って、アクティブな補聴器に対して妨害を引き起こす可能性がある拡散ＥＭ電界効果を低減するように設計される。アンテナ構成は携帯電話機の下部から延伸可能な半波長型アンテナを備える。アンテナは、延伸するとき、携帯電話機の下部と同じ縦軸を共有しない。アンテナは、代わりに、携帯電話機の上部から離れる方向にアンテナを延伸させる傾斜角（α）を形成し、スピーカとアンテナとの間にさらに大きい分離距離を生み出す。アンテナ給電接点はアンテナを携帯電話機内でコンポーネントと結合する。アンテナ整合ネットワークが、ＧＳＭ周波数帯域における動作を改善するようにアンテナ構成を同調させ、このアンテナ構成を減衰させることができる。
2009528772.tif 000002
【特許請求の範囲】
【請求項１】
携帯電話機の上部フリップ部分の天面部の近くにスピーカコンポーネント１１０を含むフリップ型携帯電話機１００用の延伸位置にあるアンテナ構成であって、
前記アンテナ構成は、前記フリップ型携帯電話機１００が動作中の補聴器の比較的近くで動作するとき、補聴器互換性（ＨＡＣ）Ｍ３評価又はこの評価より良好な評価に従って、動作中の補聴器に対して妨害を引き起こす可能性がある拡散ＥＭ電界効果を低減するように設計され、
前記フリップ型携帯電話機の下部から外へ延伸し、それによってアンテナ１４０は、延伸されたとき、前記フリップ型携帯電話機の前記下部と同じ縦軸を共有せずに、代わりに傾斜角（α）を形成し、前記フリップ型携帯電話機の上部から離れた方向に前記アンテナ１４０を延伸して、前記アンテナ１４０が前記フリップ型携帯電話機１００の下部と同じ縦軸に沿って延伸した場合よりも大きな分離距離を前記スピーカ１１０と前記アンテナ１４０との間に生み出すことができる半波長型アンテナ１４０と、
前記フリップ型携帯電話機１００内において前記アンテナ１４０をＲＦコンポーネントと結合するためのアンテナ給電接点１５０と
を備えることを特徴とするアンテナ構成。
【請求項２】
前記アンテナ１４０と前記アンテナ給電接点１５０との間で結合されるアンテナ整合ネットワーク４００であって、８５０ＭＨｚ、９００ＭＨｚ、１８００ＭＨｚ及び１９００ＭＨｚのＧＳＭの周波数帯域において動作するように前記アンテナ構成を同調させるためのアンテナ整合ネットワーク４００をさらに備えることを特徴とする請求項１に記載のアンテナ構成。
【請求項３】
前記アンテナ整合ネットワーク４００はまた、８５０ＭＨｚ、９００ＭＨｚ、１８００ＭＨｚ及び１９００ＭＨｚのＧＳＭの周波数帯域においてアンテナ性能の動作をさらに最大化するために、該ネットワークの個別のコンポーネントの値に基づいて前記アンテナ構成を減衰させることを特徴とする請求項２に記載のアンテナ構成。
【請求項４】
前記携帯電話機の前記上部フリップ部分の頂部の近くにスピーカコンポーネント１１０を含むフリップ型携帯電話機１００用の、収納位置におけるアンテナ構成であって、
前記フリップ型携帯電話機１００が、前記アクティブな補聴器の比較的近くで動作するとき、補聴器互換性（ＨＡＣ）Ｍ３評価又はこの評価より良好な評価に従って、アクティブな補聴器に対して妨害を引き起こす可能性がある拡散ＥＭ電界効果を低減するように設計されたアンテナ構成であって、
前記携帯電話機の下部フリップ部分の中へ収納可能な半波長型アンテナ１４０と、
前記アンテナ１４０と前記アンテナ給電接点１５０との間で達成される結合効果を介して前記アンテナ１４０が容量的に給電されるようになっている、前記収納位置における前記アンテナ１４０と直接接触しないアンテナ給電接点１５０と、
前記アンテナ１４０の底部チップから上方の距離ｘのところに配置され、該アンテナ１４０が前記収納位置にあるとき、前記アンテナ１４０に接触するアンテナアース接点１６０と
を備えることを特徴とするアンテナ構成。
【請求項５】
前記距離ｘは、８５０ＭＨｚのＧＳＭ周波数帯域において効率を最大化する前記アンテナ構成の同調要件に基づいて決定されることを特徴とする請求項４に記載のアンテナ構成。
【請求項６】
前記アンテナ給電接点１５０と前記アンテナ１４０との間で結合されたアンテナ整合ネットワーク４００であって、８５０ＭＨｚ、９００ＭＨｚ、１８００ＭＨｚ及び１９００ＭＨｚのＧＳＭ周波数帯域において動作するように前記アンテナ構成を同調させるためのアンテナ整合ネットワーク４００をさらに備えることを特徴とする請求項５に記載のアンテナ構成。
【請求項７】
前記アンテナ整合ネットワーク４００はまた、８５０ＭＨｚ、９００ＭＨｚ、１８００ＭＨｚ及び１９００ＭＨｚのＧＳＭ周波数帯域においてアンテナ性能の動作をさらに最大化するために、該ネットワークの個別のコンポーネントの値に基づいて前記アンテナ構成を減衰させることを特徴とする請求項６に記載のアンテナ構成。
【発明の詳細な説明】
【技術分野】
【０００１】
一般に、補聴器は空中で音波を拾うためにマイクを用いて動作し、音波を電気信号に変換する。次いで、この信号は必要に応じて増幅され、ユーザの耳に聞こえるように元の可聴音に変換される。しかし、補聴器のマイクは、必ずしも携帯電話機ハンドセットのような音声装置と共に良好に動作するとは限らない。音声装置と補聴器との間で行われる音響接続は良好でない場合もあり、音の中に歪みを生み出す場合がある。さらに、ユーザエリアおける周囲のノイズが補聴器によって頻繁に拾われる場合が多く、所望の可聴周波数を妨害することになる。
【背景技術】
【０００２】
携帯電話機は、使用中、携帯電話機により生成される拡散ＥＭ電界において無線周波数（ＲＦ）の妨害が生じる可能性に起因して多くの補聴器と互換性を有していないことが多い。携帯電話機がそのネットワークと通信しているとき、携帯電話機のアンテナの周りには電磁場が存在している。携帯電話機を使用中のとき、この電磁場はパルスを出力する。補聴器のマイク又はテレコイル回路によって拾われ、ブンブンいう音（すなわち妨害）として聞こえることがあるのは、このパルス出力エネルギである。
【０００３】
この状況を解決するために、米国連邦通信委員会（ＦＣＣ）は補聴器互換性（ＨＡＣ）規定を普及させて、携帯ハンドセットと補聴器間における妨害を最小化するようにした。２００５年９月１６日のものとして、携帯電話機ハンドセットメーカは、メーカの携帯電話機ハンドセット製品の少なくとも４〜２５％がＡＮＳＩ（米国規格協会）補聴器互換性（ＨＡＣ）規格を満たすか、この規格を超える提供製品を含むべきであるとした。
【０００４】
ＦＣＣは、高周波（ＲＦ）放射（Ｍスケール）及びテレコイル結合（Ｔスケール）の２つのパラメータという観点から携帯電話機に対するＨＡＣを規定している。ＦＣＣの補聴器互換性規則を満たす携帯電話機は、テレコイル結合に対するＲＦ放射及びＴ３のための最低限の評価を受け入れる必要がある。ＦＣＣは、全国規模のキャリアが、２００５年９月から始まるマイク（Ｍ）モードに対するＨＡＣ規則、及び、２００６年９月から始まる（Ｔ）テレコイルモードに対するＨＡＣ規則を満たす電話のレンジを提供することを要求している。
【０００５】
補聴器互換性（ＨＡＣ）評価の一部として、電磁界の近接場コンポーネントを測定する。かかるコンポーネントは電界および磁界を含む。表１及び表２はＦＣＣのＨＡＣ規格に対する電磁Ｍ評価を示す。
【０００６】
【表１】
2009528772.tif 000003
【０００７】
【表２】
2009528772.tif 000004
【０００８】
Ｍ３又はＭ４の補聴器互換性評価を受け入れるハンドセットは、連邦通信委員会によって採用されたようなＡＮＳＩ補聴器互換性規格を満たすか、これを超えたものとなる。Ｍ３評価は携帯電話機がＡＮＳＩ規格を満たしていることを示す。Ｍ４評価は携帯電話機がＡＮＳＩ規格を超えていることを示す。電話機がそのまま効率的に作動していると仮定した場合、携帯電話機が高いＭ評価を持てば持つほど、携帯電話機はより低い無線周波数（ＲＦ）放射レベルと、より高い信号品質とを補聴器に対して持つことになる。
【発明の開示】
【発明が解決しようとする課題】
【０００９】
「Ｔ」評価とは携帯電話機の結合能力を意味し、テレコイルモードでの補聴器との使用のために意図される評価である。「Ｔ」の数が大きくなればなるほど、ユーザは自分の電話機をテレコイルモードで補聴器と共に使用できる可能性がより高くなる。ＦＣＣ規則は、２００６年９月までにセルラ電話機がテレコイルで補聴器と共に使用できるように製造されることを要求している。しかしながら、本発明の目的としては、専らＨＡＣのＭ評価の側面のみが扱われる。
【００１０】
ＨＡＣ対応電話機の場合、電話機は米国のすべての携帯電話機用動作周波数帯域において対応しなければならない。これらの動作周波数帯域は８５０ＭＨｚと１９００ＭＨｚの帯域とを含む。さらに、携帯電話機は、これらの動作帯域において、デジタル無線携帯電話機からのＲＦ放射が、Ｈフィールドに対して−１１．９ｄＢＡ／ｍ、かつ、Ｅフィールドに対して３８．６ｄＢＶ／ｍを超えないことを意味するＭ３評価を最低限示す必要がある。
【００１１】
本願発明者の知るかぎりにおいて、８５０ＭＨｚ及び１９００ＭＨｚの動作周波数帯域において同時にＭ３評価を満たす携帯電話機は今まで存在していない。
【課題を解決するための手段】
【００１２】
本発明の１つの実施形態によれば、携帯電話機の上部フリップ部分の天面部の近くにスピーカコンポーネントを含むフリップ型携帯電話機用の延伸位置にあるアンテナ構成が提供される。このアンテナ構成は、フリップ型携帯電話機がアクティブな補聴器の比較的近くで動作するとき、補聴器互換性（ＨＡＣ）Ｍ３評価又はこの評価よりも高い評価に従って、アクティブな補聴器に対して妨害を引き起こす可能性のあるいずれの拡散ＥＭ電界効果も低減するように設計される。
【００１３】
上記アンテナ構成はフリップ型携帯電話機の下部から外へ延伸することができる半波長型アンテナを備える。アンテナは、延伸位置にある場合、フリップ型携帯電話機の下部と同じ縦軸を共有しない。代わりにアンテナは、フリップ型携帯電話機の上部から離れる方向にアンテナを延伸させる傾斜角（α）を形成する。これによって、アンテナがフリップ型携帯電話機の下部と同じ縦軸に沿って延伸した場合よりも大きな分離距離がスピーカとアンテナとの間に生み出されることになる。アンテナをＲＦコンポーネントと結合するためのアンテナ給電接点がフリップ型携帯電話機内に含まれている。
【００１４】
上記アンテナ構成は、アンテナ給電接点とアンテナとの間で結合されたアンテナ整合ネットワークを含むこともできる。アンテナ整合ネットワークは、８５０ＭＨｚ、９００ＭＨｚ、１８００ＭＨｚ、及び１９００ＭＨｚのＧＳＭ周波数帯域で動作するようにアンテナ構成を同調させるためのものである。アンテナ整合ネットワークは、８５０ＭＨｚ、９００ＭＨｚ、１８００ＭＨｚ、及び１９００ＭＨｚのＧＳＭ周波数帯域において別のアンテナ性能の動作を最大化するために、このネットワークの個別のコンポーネントの値に基づいてＥＭ電磁場の強さをアンテナ構成から減衰させることもできる。
【００１５】
本発明の別の実施形態によれば、携帯電話機の上部フリップ部分の天面部の近くにあるスピーカコンポーネントを含むフリップ型携帯電話機用の、収納位置にあるアンテナ構成が提供される。このアンテナ構成は、フリップ型携帯電話機がアクティブな補聴器の比較的近くで動作するとき、補聴器互換性（ＨＡＣ）Ｍ３評価又はこの評価よりも高い評価に従って、アクティブな補聴器に対して妨害を引き起こす可能性のあるいずれの拡散ＥＭ電界効果も低減するように設計される。このアンテナ構成は携帯電話機の下部フリップ部分の中へ収納可能な半波長型アンテナを備える。アンテナ給電接点は収納位置にあるアンテナと直接接触しない。アンテナは、アンテナとアンテナ給電接点との間で達成される結合効果を介して容量的に給電される。アンテナアース接点がアンテナの底部チップから上方の距離ｘのところに配置され、収納位置にあるとき、アンテナと接触する。距離ｘはアンテナ構成の同調要件に基づいて決定され、８５０ＭＨｚのＧＳＭ周波数帯域における効率を最大化する。
【００１６】
アンテナ給電接点とアンテナとの間で結合されるアンテナ整合ネットワークを含めることも可能である。アンテナ整合ネットワークは、８５０ＭＨｚ、９００ＭＨｚ、１８００ＭＨｚ、及び１９００ＭＨｚのＧＳＭ周波数帯域で動作するための同調アンテナ構成用のネットワークである。アンテナ整合ネットワークもその個別のコンポーネントに基づいてアンテナ構成を減衰させ、８５０ＭＨｚ、９００ＭＨｚ、１８００ＭＨｚ、及び１９００ＭＨｚのＧＳＭ周波数帯域において別のアンテナ性能の動作を最大化する。
【発明を実施するための最良の形態】
【００１７】
本発明は、補聴器に対する拡散ＥＭ電界効果を低減する携帯電話機用アンテナシステム又は構成を開示するものである。詳細には、本発明はＭ３の米国連邦通信委員会（ＦＣＣ）のＲＦ放射最小評価を満たすように設計される。
【００１８】
補聴器内のノイズは携帯電話機から発する電磁（ＥＭ）場によって生成される。これらのＥＭ電磁場は、アンテナから及び携帯電話機のＰＣＢの中で流れる誘起されたアース電流に起因して生成される電磁場から直接生じる。低い８５０ＭＨｚ周波数帯域では、このアース電流は、補聴器へ向かって伝播する強い電磁場を生み出す強い電流になる場合がある。
【００１９】
図１は、スピーカ１１０の周りの頂部フリップにおいて近接場走査領域１３０の輪郭を示す典型的なフリップ型携帯電話機１００を示し、携帯電話機のディスプレイ１２０を部分的に含む例図である。これは最大の関心領域である。というのは、この領域は補聴器を付けたユーザがＥＭ拡散効果に最も近いプロキシミティとなるポイントであるからである。
【００２０】
図２は、フリップ型又はクラムシェル型携帯電話機１００の従来技術による単純化された側面図であり、延伸位置にあるアンテナ１４０を示す。アンテナはアンテナ給電接点１５０と結合されて、携帯電話機１００内の関連するコンポーネントと電気的接続を確立する。スピーカ１１０（又はスピーカ配置）もこの側面図に示されている。アンテナ１４０は、携帯電話機１００の底部フリップ部分と同じ縦軸にあるその延伸位置で示されている。アンテナ１４０を携帯電話機１００の底部フリップ部分と同じ縦軸に保持することによって、アンテナを延伸したり、収納したりするタスクはシンプルに保たれる。しかし、この構成に関する問題点として、スピーカ１１０の周りのアンテナと近接場走査領域１３０との間の実際の距離（ｄ）が最小化されるという点が挙げられる。これは重大な問題である。というのは、この距離は近接場走査領域１３０におけるＥＭ場の強さに対して明らかな影響を与えるからである。この距離が短ければ短いほど、近接場走査領域１３０におけるＥＭ場の強さは大きくなる。
【００２１】
図３はフリップ型又はクラムシェル型携帯電話機の単純化された側面図であり、本発明の実施形態による延伸位置にあるアンテナを示す。図３は、アンテナ１４０が携帯電話機１００の底部フリップ部分と同じ縦軸内にない角度で外へ向かって延伸するということを除いて図２と同様の図である。アンテナ１４０は携帯電話機１００の底部フリップ部分から外へ向かって延伸し、それによって、アンテナが携帯電話機１００の底部フリップ部分と同じ縦軸において延伸した場合に形成される角度よりも大きい傾斜角（α）を携帯電話機１００の頂部フリップ部分に対して形成する。図３の傾斜角（α）は、アンテナ１４０と、スピーカ１１０の周りの近接場走査領域１３０との間にさらに大きな分離（Ｄ）を生み出すことになる。図３の距離（Ｄ）は図２の距離（ｄ）よりも大きくなる。
【００２２】
上記傾斜角は、近接場走査領域１３０におけるＥＭ場の強さを小さくする本発明の１つの側面である。別の側面はアンテナの種類の選択を含む。このアンテナの種類はプリント配線基板上で流れるアース電流が最小化されるように選択される。半波長アンテナはこのような振舞いを示す。これらの種類のアンテナには半波長モノポールと半波長先端負荷型モノポールとが含まれる。
【００２３】
さらに、２つの目的のためにアンテナ整合ネットワーク４００が含まれた。第１の目的はアンテナ１４０を注目周波数に同調させることである。この場合、アンテナ１４０は、すべての４つのＧＳＭ帯域（８５０ＭＨｚ、９００ＭＨｚ、１８００ＭＨｚ、及び１９００ＭＨｚ）において動作するように設計される。第２の目的は、前述したアンテナ傾斜角（α）がＨＡＣ要件を満たすことができない場合、出力電力を減衰させるためにアンテナ整合ネットワーク４００を使用することである。アンテナ整合ネットワーク４００は、電力を必要としない動作帯域において電力を減衰させないようにしながら、必要な場合に出力電力をさらに減衰させるように設計することができる。図４の例に示される個別のコンポーネントの値に基づいて、アンテナ整合ネットワーク４００は、１８００ＭＨｚと１９００ＭＨｚとを減衰させないようにしながら、８５０ＭＨｚ帯域を減衰させる。アンテナ整合ネットワーク４００は、アンテナ１４０と１つの端部において結合されたインダクタ４２０から構成される比較的単純な回路である。第２のインダクタ４３０は、一方の端部においてアースと結合され、第１のインダクタ４２０とキャパシタ４４０との間で他方の端部において結合される（分路される）。キャパシタはまたアンテナ給電接点１５０と結合される。
【００２４】
図５は、図３に例示されているように、延伸位置にあるアンテナ１４０用の注目ＧＳＭ動作帯域の両端にわたる電圧定在波比（ＶＳＷＲ）の値を示す。結果が、携帯電話機１００の頂部フリップ部分とアンテナ１４０との間に３７度の傾斜角（α）を持つシェル型電話機のプロトタイプを用いて、延伸位置にあるアンテナ１４０に関して測定された。アンテナ１４０は、高さ９．５ｍｍ、直径６ｍｍ及びピッチ分離幅２．５ｍｍのヘリカル・パーツを持つ長さ８５ｍｍの半波長直線モノポールから構成された先端負荷型モノポールである。アンテナ整合回路は、図４に示す個別のコンポーネントの値を持つＴ−ネットワーク型構成である。
【００２５】
ＶＳＷＲは、携帯電話機のＲＦフロントエンドとのアンテナインピーダンス整合を示す性能指数である。１に等しいＶＳＷＲは完全な整合であり、不整合に伴う損失は生じない。３以下のＶＳＷＲは一般に良好なＶＳＷＲ値である。図５のグラフによれば、図３に例示のアンテナ構成は、延伸位置で４つのすべてのＧＳＭ周波数帯域（８５０ＭＨｚ、９００ＭＨｚ、１８００ＭＨｚ、及び１９００ＭＨｚ帯域）において動作することが可能である。
【００２６】
ＨＡＣ性能を評価するための、本明細書に記載のようなアンテナ構成を有するプロトタイプ携帯電話機における電磁場の測定が、ＦＣＣにより概略が示されている仕様に従って測定処理手順に従って行われた。電話機が良好な放射性能を有することを示すために、自由空間環境における総放射電力（ＴＲＰ）も全てのＧＳＭ帯域において測定された。
【００２７】
表３は延伸位置にあるアンテナに関する結果を要約する表である。表内のＨＡＣ評価値は、要求されるＭ３評価に従うｄＢでのマージン値を表わす。携帯電話機の伝導電力は、８５０ＭＨｚと９００ＭＨｚ帯域に対しては３２ｄＢｍで、また、１８００ＭＨｚと１９００ＭＨｚ帯域に対しては３０．０ｄＢｍで較正されるため、総アンテナ効率は表３に示すように計算することができる。
【００２８】
【表３】
2009528772.tif 000005
【００２９】
表３は、本発明の延伸アンテナ構成を用いるシェル型又はフリップ型携帯電話機が、良好な放射性能をそのまま保持しながら、合衆国のすべての動作帯域においてＭ３評価によるＨＡＣ要件に従うものであることを示す表である。
【００３０】
図６は、収納位置にあるアンテナ１４０を示すフリップ型又はクラムシェル型携帯電話機１００の従来技術による単純化された側面図である。アンテナ１４０は天面部がアンテナ給電接点１５０と接触し、底面部がアース接点１６０と接触するように携帯電話機１００内に収納される。
【００３１】
図７は、本発明の実施形態による収納位置にあるアンテナ１４０を示すフリップ型又はクラムシェル型携帯電話機１００の単純化された側面図である。図７は、アンテナ１４０が収納されたとき、異なる位置でアース接点１６０と接触するということを除いて、図６の場合と同様の図である。アンテナ１４０が収納位置にあるとき、アンテナ１４０はアンテナ給電接点１５０と直接接触しない。この場合、給電メカニズムはアンテナ給電接点１５０からアンテナ１４０への結合効果を介して達成される。さらに、収納位置において、その底部チップから或る一定の距離ｘに位置するアンテナ１４０の一部がアース１６０と直接接触される。これはアンテナが８５０ＭＨｚ帯域において有効に動作することを可能にする。アンテナ１４０が収納位置にあるとき、そのときの位置に配置されたアース接点１６０がなければ、携帯電話機１００は８５０ＭＨｚ帯域において良好に動作しないことになる。
【００３２】
上記構成は、収納位置で使用するとき、ＨＡＣのＭ３要件を満たすために用いることができる。先端負荷型半波長モノポールアンテナがそのヘリカルスタブ（helical stub）の底部において容量的に給電される（非接触給電）。延伸位置にあるアンテナのように、整合ネットワークをアンテナ給電に追加して、アンテナ動作周波数を同調させるか、出力電力を減衰させるかの少なくともいずれかを必要な場合に行うことができる。この実施形態の鍵となる重要な特徴は、その底部チップにおけるアンテナの接地とは対照的に、その底部チップからの距離ｘにおけるアンテナの接地である。ｘを変えることによって、低帯域における周波数同調の制御を行うことが可能となる。さらに、アース１６０とのアンテナ接点と、さらに細かな周波数同調用アースとの間に図４の整合回路のような整合回路を含めるようにしてもよい。
【００３３】
図８は、図７に例示されているように、収納位置にあるアンテナ１４０に対する注目ＧＳＭ動作帯域の両端にわたるＶＳＷＲ値を示す。収納位置にあるアンテナ１４０の場合、アンテナ底部チップから１９ｍｍの地点でアンテナ１４０と接触するアンテナアース接点１６０の結果が測定された。
【００３４】
拡張されたシナリオの場合と全く同じように、アンテナ１４０は先端負荷型モノポールであり、このモノポールは高さ９．５ｍｍ、直径６ｍｍ及びピッチ分離幅２．５ｍｍのヘリカル・パーツを持つ長さ８５ｍｍの半波長直線モノポールから構成される。アンテナ整合回路は、図４に示す個別のコンポーネントの値を持つＴ−ネットワーク型構成である。
【００３５】
図８のグラフによれば、図７に例示のアンテナ構成は、収納位置で４つのすべてのＧＳＭ周波数帯域（８５０ＭＨｚ、９００ＭＨｚ、１８００ＭＨｚ、及び１９００ＭＨｚ帯域）において動作することが可能である。
【００３６】
表４は収納位置にあるアンテナに関する結果を要約する表である。表内のＨＡＣ評価値は、要求されるＭ３評価に従うｄＢでのマージン値を表わす。携帯電話機の伝導電力は、８５０ＭＨｚと９００ＭＨｚ帯域に対しては３２ｄＢｍで、また、１８００ＭＨｚと１９００ＭＨｚ帯域に対しては３０．０ｄＢｍで較正されるため、総アンテナ効率は表４に示すように計算することができる。
【００３７】
【表４】
2009528772.tif 000006
【００３８】
表４は、本発明の収納されたアンテナ構成を用いるシェル型又はフリップ型携帯電話機が、良好な放射性能をそのまま保持しながら、合衆国のすべての動作帯域においてＭ３評価によるＨＡＣ要件に従うものであることを示す表である。
【００３９】
本明細書で使用されている用語法は特定の実施形態について単に説明することを目的とするものであって、本発明の限定を意図するものではない。本明細書で使用されているように、文脈が別様に示していない限り、単数形を示す「ａ」、「ａｎ」及び「ｔｈｅ」は複数形も同様に含むことを意図するものである。「備える（comprises）」と、「備えている（comprising）」という用語は、本明細書で使用される場合、上述の特徴、数値、ステップ、処理、要素とコンポーネントの少なくともいずれかの存在を特定する用語であるが、１以上の他の特徴、数値、ステップ、処理、要素及びこれらのグループの少なくともいずれかの存在又は追加を除外するものではないことをさらに理解されたい。
【００４０】
特定の実施形態についてここに図示して説明したが、当業者が認識するように、図示された特定の実施形態の代わりに同じ目的を達成するよう考慮された任意の構成を用いてもよく、また本発明は別の環境において別のアプリケーションを有するようにしてもよい。本願は本発明の全ての適用又は変形をカバーするものである。特許請求の範囲は、本発明の範囲を上述した特定の実施形態に限定する意図は全くない。
【図面の簡単な説明】
【００４１】
【図１】携帯電話機から発する電磁（ＥＭ）場が最も厄介な問題となる近接場走査領域の輪郭を示す典型的フリップ型又はクラムシェル型携帯電話機を示す図である。
【図２】延伸位置にあるアンテナを示すフリップ型又はクラムシェル型携帯電話機の従来技術による単純化された側面図である。
【図３】本発明の実施形態に従う延伸位置にあるアンテナを示すフリップ型又はクラムシェル型携帯電話機の単純化された側面図である。
【図４】図２に例示のアンテナと共に使用するアンテナ整合ネットワークである。
【図５】携帯電話機が動作中のときの、図２に例示のアンテナ用電圧定在波比（ＶＳＷＲ）を示すグラフである。
【図６】収納位置にあるアンテナを示すフリップ型又はクラムシェル型携帯電話機の従来技術による単純化された側面図である。
【図７】本発明の実施形態に従う収納位置にあるアンテナを示すフリップ型又はクラムシェル型携帯電話機の側面図である。
【図８】携帯電話機が動作中のときの図７に示すアンテナに対する電圧定在波比（ＶＳＷＲ）を示すグラフである。
【図１】
2009528772.tif 000007
【図２】
2009528772.tif 000008
【図３】
2009528772.tif 000009
【図４】
2009528772.tif 000010
【図５】
2009528772.tif 000011
【図６】
2009528772.tif 000012
【図７】
2009528772.tif 000013
【図８】
2009528772.tif 000014
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
携帯電話機の上部フリップ部分の天面部の近くにスピーカコンポーネント（１１０）を含むフリップ型携帯電話機（１００）用の延伸位置にあるアンテナ構成であって、
前記アンテナ構成は、前記フリップ型携帯電話機（１００）が動作中の補聴器の比較的近くで動作するとき、補聴器互換性（ＨＡＣ）Ｍ３評価又はこの評価より良好な評価に従って、動作中の補聴器に対して妨害を引き起こす可能性がある拡散ＥＭ電界効果を低減するように設計され、
前記フリップ型携帯電話機の下部から外へ延伸し、それによってアンテナ（１４０）は、延伸されたとき、前記フリップ型携帯電話機の前記下部と同じ縦軸を共有せずに、代わりに傾斜角（α）を形成し、前記フリップ型携帯電話機の上部から離れた方向に前記アンテナ（１４０）を延伸して、前記アンテナ（１４０）が前記フリップ型携帯電話機（１００）の下部と同じ縦軸に沿って延伸した場合よりも大きな分離距離を前記スピーカ（１１０）と前記アンテナ（１４０）との間に生み出すことができる半波長型アンテナ（１４０）と、
前記フリップ型携帯電話機（１００）内において前記アンテナ（１４０）をＲＦコンポーネントと結合するためのアンテナ給電接点１５０と
前記アンテナ給電接点（１５０）と前記アンテナ（１４０）との間に結合され、補聴器互換性（ＨＡＣ）Ｍ３評価またはそれより良好となるまで拡散ＥＭ電界効果を低減する程度に前記傾斜角（α）を大きくできない場合に、前記アンテナ（１４０）の出力電力を減衰させるアンテナ整合ネットワーク（４００）と
を備えることを特徴とするアンテナ構成。
【請求項２】
前記アンテナ整合ネットワーク（４００）は、８５０ＭＨｚ、９００ＭＨｚ、１８００ＭＨｚ及び１９００ＭＨｚのＧＳＭの周波数帯域において動作するように前記アンテナ構成を同調させることが可能であることを特徴とする請求項１に記載のアンテナ構成。
【請求項３】
前記アンテナ整合ネットワーク４００はまた、８５０ＭＨｚ、９００ＭＨｚ、１８００ＭＨｚ及び１９００ＭＨｚのＧＳＭの周波数帯域においてアンテナ性能の動作をさらに最大化するために、該ネットワークの個別のコンポーネントの値に基づいて前記アンテナ構成を減衰させることを特徴とする請求項２に記載のアンテナ構成。
【請求項４】
前記携帯電話機の前記上部フリップ部分の頂部の近くにスピーカコンポーネント（１１０）を含むフリップ型携帯電話機（１００）用の、収納位置におけるアンテナ構成であって、
前記フリップ型携帯電話機（１００）が、前記アクティブな補聴器の比較的近くで動作するとき、補聴器互換性（ＨＡＣ）Ｍ３評価又はこの評価より良好な評価に従って、アクティブな補聴器に対して妨害を引き起こす可能性がある拡散ＥＭ電界効果を低減するように設計されたアンテナ構成であって、
前記携帯電話機の下部フリップ部分の中へ収納可能な半波長型アンテナ（１４０）と、
前記アンテナ（１４０）と前記アンテナ給電接点（１５０）との間で達成される結合効果を介して前記アンテナ（１４０）が容量的に給電されるようになっている、前記収納位置における前記アンテナ（１４０）と直接接触しないアンテナ給電接点（１５０）と、
前記アンテナ（１４０）の底部チップから上方の距離ｘのところに配置され、該アンテナ（１４０）が前記収納位置にあるとき、前記アンテナ（１４０）に接触するアンテナアース接点（１６０）と
前記アンテナ給電接点（１５０）と前記アンテナ（１４０）との間に結合され、前記アンテナ（１４０）の出力電力を減衰させて、補聴器互換性（ＨＡＣ）Ｍ３評価またはそれより良好となるまで拡散ＥＭ電界効果を低減するアンテナ整合ネットワーク（４００）と
を備えることを特徴とするアンテナ構成。
【請求項５】
前記距離ｘは、８５０ＭＨｚのＧＳＭ周波数帯域において効率を最大化する前記アンテナ構成の同調要件に基づいて決定されることを特徴とする請求項４に記載のアンテナ構成。
【請求項６】
前記アンテナ給電接点（１５０）と前記アンテナ（１４０）との間で結合されたアンテナ整合ネットワーク（４００）であって、８５０ＭＨｚ、９００ＭＨｚ、１８００ＭＨｚ及び１９００ＭＨｚのＧＳＭ周波数帯域において動作するように前記アンテナ構成を同調させるためのアンテナ整合ネットワーク（４００）をさらに備えることを特徴とする請求項５に記載のアンテナ構成。
【請求項７】
前記アンテナ整合ネットワーク（４００）はまた、８５０ＭＨｚ、９００ＭＨｚ、１８００ＭＨｚ及び１９００ＭＨｚのＧＳＭ周波数帯域においてアンテナ性能の動作をさらに最大化するために、該ネットワークの個別のコンポーネントの値に基づいて前記アンテナ構成を減衰させることを特徴とする請求項６に記載のアンテナ構成。
【国際調査報告】
2009528772.tif 000015
2009528772.tif 000016
2009528772.tif 000017
2009528772.tif 000018
2009528772.tif 000019